(57)【要約】【課題】  連続スキャンの際、重送搬送、斜行搬送などの搬送異常を検知しても、搬送を止めずスキャンを行い、スキャン後に、異常画像をユーザーに通知する画像読取装置の提供。【解決手段】  原稿給紙搬送手段１０６、該原稿給紙搬送手段１０６で給紙された原稿１０３から、画像データを読み取る画像読取手段１１０，１１１、該原稿給紙搬送手段１０６で給紙した原稿１０３を搬送中に、重送搬送、または、斜行搬送などの読み取り異常が起きたかどうかを検知する読取異常検出手段１０９，２０３、該読取異常検出手段１０９，２０３で異常と判断された場合、読み取り異常された原稿を前記画像読取手段１１０，１１１で読み取った画像の詳細情報を出力する異常情報出力手段を有し、前記異常情報出力手段が出力した情報をもとに、該読取異常検出手段１０９，２０３で異常と検出された画像データを、ユーザーに知らせる異常画像通知手段を有する構成。【選択図】        図１
2006245953.tif 000002
【特許請求の範囲】
【請求項１】
複数枚の原稿を連続して給紙し搬送する原稿給紙搬送手段と、該原稿給紙搬送手段により給紙され搬送される原稿から画像データを読み取る画像読取手段と、該画像読取手段により読み取られた画像データを保存する画像データ保存部と、前記画像読取手段で搬送される原稿を読み取り中に、読取異常を検知する読取異常検出手段と、読取異常の有無を記録する読取結果記録部と、
前記読取異常検出手段により読取異常と検出された読取画像データを、ユーザーに知らせる異常画像通知手段とを有し、
複数枚の原稿の連続読取動作中に、前記読取異常検出手段が読取異常を検出した場合、連続読取動作を停止せず、前記読取結果記録部の情報をもとに、前記読取異常検出手段が読取異常を検出したときの読取画像データを、前記異常画像通知手段によってユーザーに知らせることを特徴とする画像読取装置。
【請求項２】
前記読取異常検出手段が読取異常を検知したとき複数枚の原稿の連続読取動作を停止するか否かの切り替えを、複数枚の原稿の連続読取動作を開始する前にユーザーが設定する切り替え手段を附加して有することを特徴とする請求項１に記載の画像読取装置。
【請求項３】
前記読取異常検出手段は、搬送異常を検出することを特徴とする請求項１または２に記載の画像読取装置。
【請求項４】
前記異常画像通知手段は、読取処理後の状態をユーザーに通知する読取結果通知手段を有し、読取異常の有無と、異常画像のページ番号を前記読取結果通知手段に表示することを特徴とする請求項１ないし３のいずれかに記載の画像読取装置。
【請求項５】
前記異常画像通知手段は、前記画像読取手段で読み取った画像をサムネイル表示するサムネイル表示手段を有し、前記サムネイル表示手段が表示するサムネイルにおいて、異常画像を強調表示させることを特徴とする請求項１ないし３のいずれかに記載の画像読取装置。
【請求項６】
前記画像読取手段で読み取った画像データを前記画像データ保存部から削除する画像削除手段と、前記画像データ保存部に保存された複数ページの画像データの間に、再度前記画像読取手段で読み取った画像を挿入する再読取画像挿入手段を附加し、
複数枚の原稿の連続読取動作終了後、読取異常の検出に応じてユーザーが再度読み取りを指示することで、前記読取異常検出手段で異常と検出された画像を必要に応じて前記画像削除手段により前記画像データ保存部から削除し、異常画像のあったページ位置以降に再度前記画像読取手段で読み取った画像を前記再読取画像挿入手段により挿入することを特徴とする請求項１ないし５のいずれかに記載の画像読取装置。
【請求項７】
ホストコンピュータと該ホストコンピュータに接続された画像読取部で構成されたことを特徴とする請求項１ないし６のいずれかに記載の画像読取装置。
【発明の詳細な説明】
【技術分野】
【０００１】
本発明は、原稿の画像情報を読み取る画像読取装置に関する。
【背景技術】
【０００２】
従来のシートスルー型スキャナＳ（以下スキャナと呼ぶ）の断面図を図４に示す。シートスルー型スキャナＳは、ホストコンピュータのような外部機器から読取開始指示が行われると、原稿台５に置かれた原稿６が、給紙ローラ１によって引き込まれ、送りローラ２，搬送ローラ３，搬送ローラ１２によって搬送され、分離ローラ１３によって他の原稿と分離され、センサＰ１への原稿到達を基準にして、表画像用イメージセンサ４から１ライン分の画像データが図２に示す処理装置５４０中の画像処理部４９を通って、ラインメモリ５０に書き込まれる。ＣＰＵ５１はラインメモリ５０に書き込まれた１ライン分の画像データを、イメージメモリ５５に図３に示す書込み開始位置Ｘ１を指定して書き込む。１ライン分の画像データは原稿が搬送されることにより所定のピッチで所定の回数（ｎ回）送られてくることで、次々と書込み位置をＸ２，Ｘ３，・・・のようにＣＰＵ５１が変えながら図３のようにイメージメモリ５５に書き込んで行く。
【０００３】
次にスキャナとホストコンピュータとの画像のやり取りについて説明する。図１はホストコンピュータのような外部機器とスキャナとの接続を示す図である。メモリに書き込まれた画像は、ホストコンピュータ２２０からの画像読み込み命令を受けると、スキャナは通信ケーブル２２１を介して画像をホストコンピュータに送信する。ホストコンピュータは、スキャナから受け取った画像を不図示のディスク装置等の記憶装置に記憶するとともに、ディスプレー２２３に表示する。複数枚の原稿の連続読取が指示された場合、順次送信されてきた画像データにページ番号を付与して記憶装置に記憶する。
【０００４】
スキャナの機能として、重送検知機能がある（例えば、特許文献１参照。）。重送を検知した場合、搬送を止めユーザーに重送を通知する。また、斜行を検知した場合も、搬送を止めユーザーに通知する。
【特許文献１】特開平１１−２９８６６５号公報
【発明の開示】
【発明が解決しようとする課題】
【０００５】
前述したように、スキャナは、重送、斜行搬送などの異常搬送を検知した場合、搬送を停止しユーザーに通知している。しかし、途中で搬送を止めることが、ユーザーの作業効率を悪くする結果を招くことがある。その例の１つとして、ユーザーが大量の原稿を用意し、画像読み取り処理をスキャナに任せて、スキャナから離れた状況がある。例えば、５００枚の原稿の連続読取を行うとする。ユーザーは、自分がスキャナのところに戻ってくる頃には原稿が全て読み取り終わっていることを期待している。このとき、５枚目の原稿で、重送、斜行搬送などの異常搬送を検知して連続読取が止まっているとユーザーとしては期待通りの結果ではない。さらに、残りの４９５枚分の読み取り処理は行われていないので、スキャナから離れていた時間が無駄になってしまう。これでは、作業効率が悪くなってしまう。
【０００６】
また、原稿束の中に封筒が混ざっていると、重送検知機能が、封筒を重送と判断して搬送を止めてしまう。この場合も前述したように、ユーザーが５００枚の原稿をスキャナに読み取らせている間、スキャナから離れ、暫くして戻ってきたとき、スキャナが５枚目の封筒を重送と検知して止まってしまったらユーザーの期待通りの結果が得られない。残り４９５枚分の読取処理は行われていないので、離れていた時間が無駄になってしまう。つまり、封筒が重送と判断された場合は、重送エラーをキャンセルしたい。
【０００７】
このため、重送や斜行を検知しても搬送を停止せず、一通りの連続読取処理を終えた後で、異常搬送された原稿の画像を削除したいという要望がある。従来例では、この要望に応えられない。この要望に応えるために、スキャンの最中に異常搬送を検出しても、画像読取処理を止めない機能が必要である。また、画像読取処理を止めない場合、一連の連続読取終了後、スキャン画像群の中から、異常搬送された原稿の画像を探し、ユーザーにその画像を分かりやすく通知しなくてはならない。さらに、異常画像を見つけた後、異常搬送された原稿を再度スキャンして前記異常画像と置き換えたい場合、置き換え処理が、ユーザーの作業効率を下げることなく実現されなくてはならない。
【０００８】
本発明は、以上の点に着目して成されたもので、連続スキャンの最中、重送搬送、斜行搬送などの読み取り異常を検知しても画像読み取り処理を停止せず、異常画像の情報を出力し、記憶しておくことで、画像読み取り終了後、読み取られた複数の画像から異常画像をユーザーに通知することが出来るようにするとともに、さらに、ユーザーが異常画像をスキャン画像の中から探す手間を省き、さらに画像読み取り後、再度スキャンを行った場合、自動で異常画像を削除し、再スキャン画像を異常画像のページに挿入し、置き換えることができるようにして、ユーザーの作業効率を向上させるようにした画像読取装置を提供することを目的とする。
【課題を解決するための手段】
【０００９】
本発明は、上記目的を解決するために、画像読取装置をつぎの（１）ないし（６）のとおりの構成とした。
【００１０】
（１）複数枚の原稿を連続して給紙し搬送する原稿給紙搬送手段と、該原稿給紙搬送手段により給紙され搬送される原稿から画像データを読み取る画像読取手段と、該画像読取手段により読み取られた画像データを保存する画像データ保存部と、前記画像読取手段で搬送される原稿を読み取り中に、読取異常を検知する読取異常検出手段と、読取異常の有無を記録する読取結果記録部と、
前記読取異常検出手段により読取異常と検出された読取画像データを、ユーザーに知らせる異常画像通知手段とを有し、
複数枚の原稿の連続読取動作中に、前記読取異常検出手段が読取異常を検出した場合、連続読取動作を停止せず、前記読取結果記録部の情報をもとに、前記読取異常検出手段が読取異常を検出したときの読取画像データを、前記異常画像通知手段によってユーザーに知らせることを特徴とする画像読取装置。
【００１１】
（２）前記読取異常検出手段が読取異常を検知したとき複数枚の原稿の連続読取動作を停止するか否かの切り替えを、複数枚の原稿の連続読取動作を開始する前にユーザーが設定する切り替え手段を附加して有することを特徴とする前項（１）に記載の画像読取装置。
【００１２】
（３）前記読取異常検出手段は、搬送異常を検出することを特徴とする前項（１）または（２）に記載の画像読取装置。
【００１３】
（４）前記異常画像通知手段は、読取処理後の状態をユーザーに通知する読取結果通知手段を有し、読取異常の有無と、異常画像のページ番号を前記読取結果通知手段に表示することを特徴とする前項（１）ないし（３）のいずれかに記載の画像読取装置。
【００１４】
（５）前記異常画像通知手段は、前記画像読取手段で読み取った画像をサムネイル表示するサムネイル表示手段を有し、前記サムネイル表示手段が表示するサムネイルにおいて、異常画像を強調表示させることを特徴とする前項（１）ないし（３）のいずれかに記載の画像読取装置。
【００１５】
（６）前記画像読取手段で読み取った画像データを前記画像データ保存部から削除する画像削除手段と、前記画像データ保存部に保存された複数ページの画像データの間に、再度前記画像読取手段で読み取った画像を挿入する再読取画像挿入手段を附加し、
複数枚の原稿の連続読取動作終了後、読取異常の検出に応じてユーザーが再度読み取りを指示することで、前記読取異常検出手段で異常と検出された画像を必要に応じて前記画像削除手段により前記画像データ保存部から削除し、異常画像のあったページ位置以降に再度前記画像読取手段で読み取った画像を前記再読取画像挿入手段により挿入することを特徴とする前項（１）ないし（５）のいずれかに記載の画像読取装置。
【００１６】
（７）ホストコンピュータと該ホストコンピュータに接続された画像読取部で構成されたことを特徴とする前項（１）ないし（６）のいずれかに記載の画像読取装置。
【発明の効果】
【００１７】
本発明によれば、連続スキャンの最中、重送搬送、斜行搬送などの読み取り異常を検知しても画像読み取り処理を停止せず、異常画像の情報を出力し、記憶しておくことで、画像読み取り終了後、読み取られた複数の画像から異常画像をユーザーに通知することが出来る。そのため、ユーザーが異常画像をスキャン画像の中から探す手間がなくなる。
【００１８】
また、画像読み取り後、再度スキャンを行った場合、自動で異常画像を削除し、再スキャン画像を異常画像のページに挿入し、置き換えることができるので、ユーザーの作業効率が向上する。
【発明を実施するための最良の形態】
【００１９】
以下に、本発明を実施するための最良の形態を、実施例に基づいて説明する。
【実施例１】
【００２０】
以下、請求項１〜５にかかる本発明の実施例について説明する。図１は、スキャナ１０１の外観図とスキャナと通信ケーブル２２１を通して接続されたホストコンピュータ２２０の図である。スキャナ１０１とホストコンピュータ２２０の組合せで画像読取装置の機能が実現される。給紙トレイ１０２上の原稿１０３は、給紙部１０６から給紙され、排紙部１０４から排紙される（給紙部１０６は請求項１の原稿給紙搬送手段に相当する）。スキャナ１０１から読み込んだ画像は、通信ケーブル２２１を通り、ホストコンピュータ２２０に伝えられる。ホストコンピュータ２２０側は、スキャナに画像読取命令を送信すると、スキャナは、読み取った画像を送信する。画像を受け取ったホストコンピュータ２２０は、不図示のディスク装置等の記憶装置に記憶するとともに、ディスプレー２２３に受信した画像を表示する。ホストコンピュータ２２０には、Ｗｉｎｄｏｗｓ（登録商標）等のＯＳが動いており、ＯＳ上で動く画像表示アプリケーションが、スキャナから受け取った画像をディスプレー２２３に表示している。また、スキャナが重送、及び斜行を検知した場合、エラーメッセージをホストコンピュータ２２０に送信する（重送、斜行の説明、及び、エラーメッセージを受け取ったホストコンピュータの説明は後述する。）。
【００２１】
図５は、原稿の搬送経路の説明図である。原稿１０３は、搬送経路１１２に沿って搬送され、表面は表面画像読取部１１０で、裏面は裏面画像読取部１１１で読み取られる。（画像読取部１１０と１１１は請求項１の画像読取手段に相当する）また、重送検知部１０９で重送を検知することができる。重送検知部１０９は、搬送経路１１２を挟んで対構成で配置され、紙厚を測り、ある厚さ以上の原稿を重送と判断する重送検知センサを用いている。
【００２２】
図５の２０３は、斜行検知センサである。斜行検知の方法は、図１４を用いて説明する。図１４は、斜行検知センサ２０３が３つ、搬送方向２０１に直交する方向に並んでいる。図１４（ｂ）は、原稿が斜行せずに搬送されている図である。図１４（ｂ）では、３つのセンサの検知するタイミングはほぼ同時になる。しかし、図１４（ａ）のように、原稿１０３が斜行して搬送されると、真中のセンサが、初めに原稿１０３を検知し、続いて両端のセンサが、原稿１０３を検知する。斜行を検知するには、３つのセンサ２０３の検知タイミングを監視し、初めのセンサが原稿１０３を検知してから、全てのセンサが原稿１０３を検知するまでの時間を測り、ある閾値以上の時間がかかった場合、斜行と判断することで実現できる（重送検知部１０９と斜行検知センサ２０３は請求項１から３の読取異常検出手段に相当する）。
【００２３】
図６は、スキャナ制御部の説明図である。制御部１２０は、表（裏）面画像用の画像記憶部１２１、紙搬送制御部１２２、画像処理部１２３、画像読取部１２４、読み取り異常検知部１２５で構成されている。
【００２４】
次に連続読取動作において原稿が搬送されて、読取が終わるまでについてフローチャートを用いて説明する。図７は、ユーザーのスキャン要求から、原稿を読み取るまでのスキャナ動作のフローチャートである。まず、ユーザーがスキャナにスキャン要求を出すと（Ｓ１３０）、スキャナは、給紙トレイに原稿があるかどうかを調べ（Ｓ１３２）、原稿が無かった場合、ユーザーに紙が無いことを告げる「紙無しエラー」を通知する（Ｓ１３１）。Ｓ１３２で紙があった場合、紙を給紙し搬送を行う（Ｓ１４１）。次に搬送された原稿が重送していないかどうかを調べる（Ｓ１３３）。重送と判断されなかった場合、原稿をスキャンし（Ｓ１３５）、排紙トレイまで搬送する（Ｓ１３７）。次いで、Ｓ１３９でユーザーによる中断命令がなければ、再びＳ１３２に戻り、読み取り作業を行う。また、Ｓ１３３で、重送が検知された場合、エラー情報（後詳述）を出力し（Ｓ１３４）、読み取り（Ｓ１３５）を行う。
【００２５】
ここで、エラー情報について説明する。スキャナは重送、斜行の読み取り異常を検知すると、エラーメッセージを、ホストコンピュータ２２０に送信する。エラーメッセージを受け取ったホストコンピュータは、異常画像のページ番号、その画像の幅、高さ、カラーモードを、アプリケーションのメモリ領域に記憶する。記録方法としては、図１５のように、ページ番号、幅、高さ、エラーの種類を要素としたリスト構造で保持しておく。このリスト構造で保持したメモリ領域が、請求項１の読取異常の有無を記録する読取結果記録部に相当する。
【００２６】
次に、スキャン画像群の中から重送検知された原稿の画像を、エラー情報を利用して、ユーザーに知らせる機能を設けた画像表示アプリケーションについて説明する。図８は、アプリケーション画面１４０の概要図である。アプリケーションは、ユーザー設定により、任意の分割数で表示ウインドウ１４６を起動できる（図８での説明では、１０分割して表示する。）。アプリケーションは、スキャンした画像を左上から、右下にかけて順番に画像を表示している（ここで、図８のアプリケーションが表示している画像の右端に、便宜上番号を記載する。以後説明するとき、画像のページ番号と、前記番号を対応させて説明していく。）。また、アプリケーションで表示する画像データは、ホストコンピュータのハードディスクにデータファイルとして保存されている（図１６）。保存する場所は、ホストコンピュータで設定されているテンポラリフォルダに保存している。このホストコンピュータのハードディスクは、請求項１の画像データ記憶部に相当する。
【００２７】
アプリケーション画面１４０上のスキャン開始ボタン１４３は、読み取り処理を開始するボタンである。
【００２８】
次に、画像表示アプリケーションにおいて、読み取り処理中、重送が起きた場合のアプリケーションの振る舞いについて説明する。まず、ユーザーは、アプリケーションのスキャン開始ボタン１４３を押す。スキャン開始ボタン１４３が押されると、図９に示すスキャン開始ダイアログ１４８が表示される。ここで、「異常を検知しても搬送を止めない」チェックボックス１４９をチェックすると、重送検知時にスキャンを止めずにスキャンを行う。この「異常を検知しても搬送を止めない」チェックボックス１４９が、請求項２の切り替え手段に相当する。
【００２９】
該チェックボックスをチェックしなければ、スキャン中、重送が検知された場合、図１１に示すような異常検知をユーザーに通知するダイアログを表示してスキャン動作を終了する。
【００３０】
前述したチェックボックスをオンにして、スキャンを行うと、図７で説明したフローチャートの通りにスキャンが始まる。
【００３１】
給紙トレイに原稿がなくなった場合、図１２に示すようにユーザーに継続スキャンを尋ねるダイアログを表示する。ここで、ユーザーが原稿をセットし継続を選択すれば、再びスキャン動作に移る。終了を選択すれば、スキャン作業は終了する。
【００３２】
終了後に図１７のように、重送が検知されていた場合、異常画像のページ番号を表示するダイアログが起動する。このダイアログは、請求項１、４の異常画像通知手段に相当する。
【００３３】
ここで、スキャン終了後のアプリケーションの動作について説明する。図１０は、８枚目の原稿が重送した場合の例を示している。図１０で、アプリケーションは、重送した原稿のスキャン画像を点滅（１４７）させて表示している（この点滅表示機構が請求項１、５の異常画像通知手段に相当する）。
【００３４】
アプリケーションは、前述したエラー情報から、異常搬送された原稿のスキャン画像のページ番号を引き出している。ユーザーは、スキャンした画像群の中から、異常搬送された原稿の画像（８枚目の画像）を見つけだし、削除を行うことが出来る。
【００３５】
以上が、請求項１〜５にかかる実施例の説明である。
【００３６】
さらに、実施例１での重送検知の方法で、超音波を利用した重送検知センサを使用してもよい。
【００３７】
また実施例１では、読取異常の例として重送を用いたが、以下に列挙する重送以外の読取異常も、実施例１の重送と置き換えて、同様に説明することができる。
【００３８】
読取異常の例
１：原稿が斜行して搬送された場合。
２：定型フォームの原稿のみを読み取るスキャナにおいて、読み取り原稿の中に定型フォームでない原稿（サイズ、色、厚さ、原稿に書いてある内容が違う原稿）が混ざっていた場合。
３：定型フォームの原稿のみを読み取るスキャナにおいて、読み取り原稿の中に表裏逆または、逆向きの原稿が混ざっていた場合。
４：定型フォームの原稿のみを読み取るスキャナにおいて、読み取り原稿の中に皺が沢山ある原稿の場合。
５：四角形の原稿を正常原稿と判断するスキャナにおいて、破れた原稿が搬送された場合。
６：読み取った画像の明るさが異常である場合（明るさが異常である画像とは、読み取った画像が真っ黒に近かったり、真っ白に近い画像のことをいう）。
【００３９】
以上が重送以外の読取異常の例である。
【００４０】
また、読取異常を検知したとき、連続読取を止めずに継続して読取処理を行うと同時にブザーなどの警告音を出しても良い。
【００４１】
また、読取異常を検知したとき、連続読取を止めずに継続して読取処理を行うと同時に、スキャナに取り付けたＬＥＤを点滅させてもよい。
切り替え手段としてアプリケーション画面上のチェックボックスを利用する他、スキャナ本体にモード選択スイッチを設けてもよい。
【００４２】
また、上記実施例のようにホストコンピュータと接続されるスキャナとの組合せで本発明を実現する場合の他、スキャナ本体内にホストコンピュータ相当の機能を内蔵して本発明を実現してもよい。
【実施例２】
【００４３】
次に請求項６に係る実施例について説明する。スキャナの概要、画像読取処理の流れは、実施例１と同様である。実施例１では、異常画像をユーザーに通知して、ユーザーが異常画像を削除するまでの説明であったが、実施例２では、異常画像をユーザーに通知した後、再読み込みを行うときの説明である。実施例２の説明でも、図１０の８枚目の画像を重送検知された原稿の画像とする。
【００４４】
図１３は、図１２のダイアログで、終了を選択したときに表示されるダイアログの図である。ここでは、重送があったことをユーザーに告げ、さらに再読み込みを行って読み込んだ画像と８枚目の画像を置き換えるかどうかをユーザーに尋ねている。ここで、「いいえ」を選択すると、画像読み取り処理が終了し、読み取られた画像はアプリケーションに表示される。「はい」を選択すると、異常画像がハードディスクから削除され（この削除機能は、請求項６の画像削除手段のことである。詳細は後述。）、再度読み取られた画像は８枚目の画像と置き換わり、その後読み取られた画像は８枚目と９枚目の間に挿入される（この挿入機能が請求項６の再読取画像挿入手段に相当する。）。
【００４５】
請求項６の画像削除手段は、ＯＳのファイル削除用のＡＰＩを用いて画像のファイルデータを削除するとともに、アプリケーションで表示している画像もこのときに削除している。
【００４６】
図１３で「はい」を選択したあと、再スキャンする原稿の枚数を指定できるようにしてもよい。
【００４７】
本発明によれば、連続スキャンの最中、重送搬送、斜行搬送などの搬送異常を検知しても連続画像読み取り処理を停止せず、異常画像の情報を出力し、記憶しておくことで、連続画像読み取り終了後、読み取られた複数の画像から異常画像を点滅、または、ダイアログ表示することで、ユーザーに通知することが出来る。そのため、ユーザーが異常画像をスキャン画像の中から探す手間がなくなる。
【００４８】
また、原稿束の中に封筒が紛れていた場合、エラーをキャンセルできるので、最後まで画像読み取り動作を行うことができる。これは、ユーザーが画像読み取り作業をスキャナに任せて、スキャナから離れて別の作業をすることができるので、ユーザーの作業効率が向上する。
【００４９】
また、画像読み取り終了後、再度スキャンを行った場合、自動で、異常画像を削除し、再スキャン画像を、異常画像のページに挿入し、置き換えることができるので、ユーザーの作業効率が向上する。
【図面の簡単な説明】
【００５０】
【図１】スキャナとホストコンピュータとの関係を示す説明図
【図２】関連技術例の制御系を示すブロック図
【図３】イメージメモリの書込み開始位置を説明する図
【図４】従来のシートスルー型スキャナの断面図
【図５】原稿の搬送経路の説明図
【図６】スキャナ制御部の説明図
【図７】ユーザーのスキャン要求から原稿を読み取るまでのスキャナ動作のフローチャート
【図８】アプリケーション画面の概要図
【図９】スキャン開始ダイアログ表示画面の概要図
【図１０】原稿が重送した場合の強調表示例を示す図
【図１１】異常検知をユーザーに通知するエラーダイアログ画面を示す図
【図１２】ユーザーに継続スキャンを尋ねるダイアログ画面を示す図
【図１３】図１２のダイアログで、終了を選択したときに表示される通知ダイアログ画面を示す図
【図１４】斜行検知の方法を説明する図であって、（ａ）は原稿が斜行して搬送されている図、（ｂ）は原稿が斜行せずに搬送されている図
【図１５】読み取り結果記憶部説明図（メモリ）
【図１６】読み取り結果記憶部説明図（ファイル）
【図１７】異常画像のページ番号を表示する通知ダイアログ画面を示す図
【符号の説明】
【００５１】
Ｓ  シートスルー型スキャナ
１０３  原稿
１０６  給紙部（原稿給紙搬送手段に対応）
１０９  重送検知部（読取異常検出手段に対応）
１１０  表面画像読取部（画像読取手段に対応）
１１１  裏面画像読取部（画像読取手段に対応）
１２０  制御部
１４０  アプリケーション画面
１４６  表示ウインドウ
２０３  斜行検知センサ（読取異常検出手段に対応）
２２０  ホストコンピュータ
２２１  通信ケーブル
【図１】
2006245953.tif 000003
【図２】
2006245953.tif 000004
【図３】
2006245953.tif 000005
【図４】
2006245953.tif 000006
【図５】
2006245953.tif 000007
【図６】
2006245953.tif 000008
【図７】
2006245953.tif 000009
【図８】
2006245953.tif 000010
【図９】
2006245953.tif 000011
【図１０】
2006245953.tif 000012
【図１１】
2006245953.tif 000013
【図１２】
2006245953.tif 000014
【図１３】
2006245953.tif 000015
【図１４】
2006245953.tif 000016
【図１５】
2006245953.tif 000017
【図１６】
2006245953.tif 000018
【図１７】
2006245953.tif 000019